(57)【要約】【課題】  吸込グリルの少なくとも一番端の桟を背面側に高くして強度を高め、隙間から内部が見えにくいようにした天井埋込形の空気調和機を提供する。【課題を解決するための手段】  化粧パネルにヒンジ結合されるとともに、この化粧パネルに係止されるスライド式ロック片５ｃおよび平行な多数の桟５ｅを有してなる吸込グリルを備えた空気調和機において、前記吸込グリル５の桟５ｅは、少なくとも端部の桟５ｅ’が他の桟５ｅよりも延出部５ｅ’’により背面側に高く延出されてなる構成にした。【選択図】  図４
2009103420.tif 000002
【特許請求の範囲】
【請求項１】
化粧パネルにヒンジ結合されるとともに、この化粧パネルに係止されるスライド式ロック片および平行な多数の桟を有してなる吸込グリルを備えた空気調和機において、
前記吸込グリルの桟は、少なくとも端部の桟が他の桟よりも背面側に高く形成されてなることを特徴とする空気調和機。
【発明の詳細な説明】
【技術分野】
【０００１】
本発明は、天井埋込形の空気調和機に係わり、より詳細には、吸込グリルの桟の構造に関する。
【背景技術】
【０００２】
従来の天井埋込形の空気調和機は、図６（Ａ）に示すように、化粧パネルＡにヒンジ結合されるとともに、この化粧パネルＡの係止部に係止され、桟Ｃに対して平行にスライドするスライド式ロック片Ｄを有する吸込グリルＢを備えたものとして、スライド式ロック片Ｄは吸込グリルＢの桟Ｃ１本分に収めるもの（例えば、特開平０９ー２８０５９５号公報参照）や、図６（Ｂ）に示すように、スライド式ロック片Ｄは吸込グリルＢの桟Ｃ同士の間に収めるもの（例えば、特開２００４ー９２９９８号公報参照）があり、これらの場合、指掛部Ｅの寸法が小さく操作しにくいという問題点を有していた。
【０００３】
または、前記スライド式ロック片Ｄが、前記吸込グリルＢの桟Ｃに対して直交するようにスライドするものにおいては、前記指掛部Ｅの寸法を大きくとれるために操作性は良好であるが、スライド式ロック片Ｄをスライドさせる際に、図４に示すように、一番端の桟に手指を掛けてしまう傾向があることから、この桟の強度が不足して破損してしまうおそれがあった。
【０００４】
また、一番端の桟Ｃに隣接する前記吸込グリルＢの枠部に、吸込空気の抵抗を低減するために曲面形状（Ｒ面）を形成したような場合、この一番端の桟Ｃと曲面形状（Ｒ面）部との間の隙間から内部が見えやすくなることから、例えば、前記吸込グリルＢの内側に設けられたエアフィルタや、同エアフィルタに付いた汚れが見えやすくなって美観性を損ねてしまうおそれがあった。
【特許文献１】特開平０９ー２８０５９５号公報
【特許文献２】特開２００４ー９２９９８号公報
【発明の開示】
【発明が解決しようとする課題】
【０００５】
そこで、本発明は上述した課題を解決するためになされたものであって、その目的は、吸込グリルの少なくとも一番端の桟を背面側に高く形成して強度を高め、枠部との隙間から内部が見えにくいようにした天井埋込形の空気調和機を提供することにある。
【課題を解決するための手段】
【０００６】
上述した目的を達成できるように、吸込グリルの一番端の桟の強度を高めて枠部との隙間から内部が見えにくいようにするため、本発明は以下に示す特徴を備えている。
【０００７】
化粧パネルにヒンジ結合されるとともに、この化粧パネルに係止されるスライド式ロック片および平行な多数の桟を有してなる吸込グリルを備えた空気調和機において、
前記吸込グリルの桟は、少なくとも端部の桟が他の桟よりも背面側に高く形成されてなることを特徴としている。
【発明の効果】
【０００８】
本発明によれば、吸込グリルの少なくとも一番端の桟を背面側に高く形成して強度を高め、枠部との隙間から内部が見えにくいようにした天井埋込形の空気調和機を提供できる。
【発明を実施するための最良の形態】
【０００９】
次に、本発明の実施形態について図面を参照しながら説明する。
【００１０】
図１は本発明による天井埋込形の空気調和機の説明図で、（Ａ）は断面図、（Ｂ）は斜視図であり、図２は図１（Ａ）に示すＡ矢視図で、（Ａ）は吸込グリルを備えた化粧パネルを示す図、（Ｂ）は吸込グリルを示す図であり、図３は本発明による天井埋込形の空気調和機の要部説明図で、（Ａ）は吸込グリルを開いた状態を示す図、（Ｂ）は吸込グリルを閉じてスライド式ロック片をロック位置にスライドした状態を示す図、（Ｃ）は吸込グリルを開くためスライド式ロック片を解除位置にスライドした状態を示す図であり、図４はスライド式ロック片の指掛部と桟に手指を掛けた状態を示す斜視図であり、図５は吸込グリルの桟および延出部と枠部とを示す断面図で、（Ａ）は枠部を曲面状にした図、（Ｂ）は枠部を傾斜面状にした図である。
【００１１】
本発明による天井埋込形の空気調和機は、図１（Ａ）および図１（Ｂ）に示すように、天井裏に吊下げ設置された本体筐体１の下部に化粧パネル２が装着されている。
【００１２】
前記化粧パネル２は、吸込口３と吹出口４とを備えるとともに、前記吸込口３を臨ませた吸込グリル５を備え、同吸込グリル５の裏面には、前記吸込口３から吸い込まれた空気中に含まれた塵埃を除去するエアフィルタ６が着脱可能に装着されている。
【００１３】
前記吸込口３と前記吹出口４とを結ぶ空気通路には、熱交換器７と送風ファン８とが設けられている。
【００１４】
前記吸込口３から吸い込まれ前記エアフィルタ６によって塵埃が除去された空気は、前記熱交換器７で熱交換されたのち、前記送風ファン８によって前記吹出口４から被空調室に吹き出されるようになっている。
【００１５】
前記エアフィルタ６は、前記吸込グリル５の裏面に一体的に形成されたフィルタホルダによってスライド可能に、且つ着脱可能に保持されている。
【００１６】
前記吸込グリル５は、図１（Ａ）および図１（Ｂ）と、図２（Ａ）および図２（Ｂ）とに示すように、平行に並べられた多数の桟５ｅを備えてなる構成であって、一側がヒンジからなる枢支部５ａにより前記化粧パネル２に回動自在に枢支される一方、他側が指掛部５ｄを備えたスライド式ロック片５ｃからなる係止部５ｂにより前記化粧パネル２に係脱可能に係止されている。
【００１７】
これにより、前記エアフィルタ６を前記吸込グリル５の裏面に着脱する際、前記係止部５ｂを構成するスライド式ロック片５ｃを前記化粧パネル２から離脱させて前記吸込グリル５の他側を解除し、同吸込グリル５の一側が、図３（Ａ）に示す矢印のように、前記枢支部５ａを中心に下方に回動されることによって着脱が可能になる。
【００１８】
前記スライド式ロック片５ｃは、図３（Ｂ）に示すように、その先端部が前記化粧パネル２に向けて突出するようにスライドさせることにより、同化粧パネル２に対し前記吸込グリル５の他側を閉止状態でロックすることになる。
【００１９】
また、前記スライド式ロック片５ｃは、図３（Ｃ）に示すように、その先端部が前記化粧パネル２から離脱するようにスライドさせることにより、同化粧パネル２に対し前記吸込グリル５の他側のロック状態を解除することになる。
【００２０】
前記吸込グリル５は、平行に並べられた多数の桟５ｅを備えており、図４と、図５（Ａ）および図５（Ｂ）とに示すように、この多数の桟５ｅうち端部（一番端）の桟５ｅ’が、他の桟５ｅよりも背面側に高くなるよう一体的に形成された延出部５ｅ’’を備えた構成になっている。
【００２１】
前記多数の桟５ｅは、例えば、同桟５ｅの全部を背面側に高くなるように形成することで強度を増強できるようになり、また、隙間から内部を見えにくくして外観性を損ねないように構成できるが、その場合、吸込空気に対する抵抗が増加することになったり、前記吸込グリル５に使用される素材（合成樹脂）の量が増加して重量増になってしまうことから、本発明においては、少なくとも前記端部（一番端）の桟５ｅ’について、断面積を増加させて強度を増強できるようにしている。
【００２２】
そこで、前記端部（一番端）の桟５ｅ’は、前記延出部５ｅ’’を備えて前記吸込グリル５の背面側に高くなるように形成されたことで、高く形成された分だけ断面積が増加することになって、前記他の桟５ｅよりも強度が増強された構成になっている。
【００２３】
また、前記端部（一番端）の桟５ｅ’は、前記他の桟５ｅよりも断面積が増加することによって強度が増強されると同時に、前記吸込グリル５の枠部（グリルフレーム）５ｆとの接合部の強度も増強できるようになる。
【００２４】
これにより、前記指掛部５ｄに手指を掛けて前記スライド式ロック片５ｃをスライドさせる際、図４に示すように、前記端部（一番端）の桟５ｅ’にも他の手指が掛かったとしても、この端部（一番端）の桟５ｅ’は強度が増強されたことで破損してしまう恐れがなくなる。
【００２５】
なお、前記端部（一番端）の桟５ｅ’に限らず、一つ内側の前記桟５ｅについても、前記端部（一番端）の桟５ｅ’と同等に、もしくは同桟５ｅ’に準じる高さに形成することにより、前記端部（一番端）の桟５ｅ’に次いで手指の掛かりやすい前記桟５ｅの強度を増強する構成にしてもよい。
【００２６】
また、前記端部（一番端）の桟５ｅ’は、前記延出部５ｅ’’を備えて前記吸込グリル５の背面側に高くなるように形成されたことで、図５（Ａ）に示すように、この端部（一番端）の桟５ｅ’に隣接する前記枠部（グリルフレーム）５ｆが、該箇所における吸込空気流に対する空気抵抗を低減できるように曲面（Ｒ面）状に形成されたとしても、前記端部（一番端）の桟５ｅ’と前記枠部（グリルフレーム）５ｆとの間の隙間から内部が見えにくくなる。
【００２７】
これにより、前記吸込グリル５の裏面に設けられた前記エアフィルタ６や、同エアフィルタ６に付いた汚れが見えにくくなって、美観性を損ねてしまうおそれを低減できることになる。
【００２８】
また同様に、図５（Ｂ）に示すように、前記端部（一番端）の桟５ｅ’に隣接する枠部（グリルフレーム）５ｆが、傾斜面（Ｃ面）状に形成されたとしても、前記端部（一番端）の桟５ｅ’と前記枠部（グリルフレーム）５ｆとの間の隙間から内部が見えにくくなり、前記吸込グリル５の裏面に設けられた前記エアフィルタ６や、同エアフィルタ６に付いた汚れが見えにくくなって、美観性を損ねてしまうおそれを低減できることになる。
【００２９】
以上説明したように、本構成によれば、前記吸込グリル５の一番端の桟５ｅ’を背面側に高くなるように形成したので、前記スライド式ロック片５ｃのスライド時に手指が掛かっても破損のおそれがないよう強度を高めることができるようになり、また、強度を高めた桟５ｅ’に隣接する前記枠部（グリルフレーム）５ｆとの間の隙間から内部が見えにくくして、前記エアフィルタ６や、同エアフィルタ６に付いた汚れが見えにくくなり、美観性を損ねてしまうおそれを低減した天井埋込形の空気調和機となる。
【図面の簡単な説明】
【００３０】
【図１】本発明による天井埋込形の空気調和機の説明図で、（Ａ）は断面図であり、（Ｂ）は斜視図である。
【図２】図１（Ａ）に示すＡ矢視図で、（Ａ）は吸込グリルを備えた化粧パネルを示す図であり、（Ｂ）は吸込グリルを示す図である。
【図３】本発明による天井埋込形の空気調和機の要部説明図で、（Ａ）は吸込グリルを開いた状態を示す図であり、（Ｂ）は吸込グリルを閉じてスライド式ロック片をロック位置にスライドした状態を示す図であり、（Ｃ）は吸込グリルを開くためスライド式ロック片を解除位置にスライドした状態を示す図である。
【図４】スライド式ロック片の指掛部と桟に手指を掛けた状態を示す斜視図である。
【図５】吸込グリルの桟および延出部と枠部とを示す断面図で、（Ａ）は枠部を曲面状にした図であり、（Ｂ）は枠部を傾斜面状にした図である。
【図６】従来例による天井埋込形の空気調和機の要部説明図で、（Ａ）は化粧パネルに吸込グリルをロックまたはロック解除するスライド式ロック片の一例を示す図であり、（Ｂ）は他の例を示す図である。
【符号の説明】
【００３１】
１  本体筐体
２  化粧パネル
３  吸込口
４  吹出口
５  吸込グリル
５ａ  枢支部
５ｂ  係止部
５ｃ  スライド式ロック片
５ｄ  指掛部
５ｅ  桟
５ｅ’  端部の桟
５ｅ’’  延出部
５ｆ  枠部（グリルフレーム）
６  エアフィルタ
７  熱交換器
８  送風ファン
【図１】
2009103420.tif 000003
【図２】
2009103420.tif 000004
【図３】
2009103420.tif 000005
【図４】
2009103420.tif 000006
【図５】
2009103420.tif 000007
【図６】
2009103420.tif 000008